(57)【要約】【課題】写真プリントシステムにおいて、焼き増しプリントする画像を、元の画像ファイル名で簡単に特定できるようにする。【解決手段】写真プリントを作製するための画像をファイル保存した画像保持担体から前記画像を取り込む取り込み装置ＣＴと、その取り込み装置ＣＴにて取り込んだ前記画像に基づいて写真プリントを作製する写真プリント装置ＰＲと、写真プリントを作製した画像の画像データを記録媒体に書き込む書込み装置ＣＲとが設けられた写真プリントシステムにおいて、前記書込み装置ＣＲは、前記記録媒体に書き込む画像と対応する画像データが前記画像保持担体に保存されていたときのファイル名を、画像ファイルと対応付けた状態で画像ファイルとは別の情報ファイルとして、あるいは、画像ファイルのデータの一部として、前記記録媒体へ書き込むように構成されている。【選択図】図１
2005202264.tif 000002
【特許請求の範囲】
【請求項１】
写真プリントを作製するための画像をファイル保存した画像保持担体から前記画像を取り込む取り込み装置と、その取り込み装置にて取り込んだ前記画像に基づいて写真プリントを作製する写真プリント装置と、写真プリントを作製した画像の画像データを記録媒体に書き込む書込み装置とが設けられた写真プリントシステムであって、
前記書込み装置は、前記記録媒体に書き込む画像と対応する画像データが前記画像保持担体に保存されていたときのファイル名を、画像ファイルと対応付けた状態で画像ファイルとは別の情報ファイルとして、あるいは、画像ファイルのデータの一部として、前記記録媒体へ書き込むように構成されている写真プリントシステム。
【請求項２】
前記記録媒体がＣＤ−Ｒメディアである請求項１に記載の写真プリントシステム。
【発明の詳細な説明】
【技術分野】
【０００１】
本発明は、写真プリントを作製するための画像をファイル保存した画像保持担体から前記画像を取り込む取り込み装置と、その取り込み装置にて取り込んだ前記画像に基づいて写真プリントを作製する写真プリント装置と、写真プリントを作製した画像の画像データを記録媒体に書き込む書込み装置とが設けられた写真プリントシステムに関する。
【背景技術】
【０００２】
かかる写真プリントシステムは、店舗等に設置されて、例えばデジタルカメラにて撮影された画像を基に写真プリントを作製するシステムである。
このような写真プリントシステムでは、下記特許文献１にも記載のように、写真プリントを作製した画像の画像データを例えばＣＤ−Ｒメディア等の記録媒体に記録して顧客に提供するサービスも存在する。
このような場合において、前記記録媒体を受け取った顧客は、その記録媒体で焼き増しプリントの注文を依頼する場合が、従来からある。
【特許文献１】特開平１１−８８５７７号公報
【発明の開示】
【発明が解決しようとする課題】
【０００３】
しかしながら、上記従来の焼き増しプリントの取扱いでは、焼き増しプリントの受注手続上で混乱を生じる場合があった。
すなわち、前記記録媒体を利用して写真プリントの焼き増し注文を受けるときに、顧客が、前記記録媒体中の画像ファイルを特定して焼き増し注文をするのではなく、その写真プリント作製の基となった前記画像保持担体上での画像ファイル名を指定して焼き増しプリントの注文をする場合がある。例えば、写真プリントの裏面に前記画像保持担体上での画像ファイル名がプリントされており、顧客がその裏面にプリントされたファイル名によって焼き増しする画像を指定するような場合である。
前記記録媒体に記録される画像データのファイル名は、前記画像保持担体に保存されている画像ファイルのファイル名とは別個独立に設定されるものであるため、上述のように元の前記画像保持担体での画像ファイル名で焼き増し注文を受けると、写真プリントシステムのオペレータが前記記録媒体に記録されている画像をモニタ上に表示させて、写真プリントの画像との対比により焼き増しする画像を特定するか、あるいは、前記記録媒体に記録されている画像をモニタ上に表示させて、顧客に焼き増しする画像を特定してもらうような作業が必要となるのである。
しかも、このような焼き増しプリントの対象の特定作業では、類似したシーンの画像が複数存在すると、焼き増しプリントをする画像を誤って特定してしまうような場合もあり得る。
本発明は、かかる実情に鑑みてなされたものであって、その目的は、焼き増しプリントする画像を、元の画像ファイル名で簡単に特定できるようにする点にある。
【課題を解決するための手段】
【０００４】
本出願の第１の発明は、写真プリントを作製するための画像をファイル保存した画像保持担体から前記画像を取り込む取り込み装置と、その取り込み装置にて取り込んだ前記画像に基づいて写真プリントを作製する写真プリント装置と、写真プリントを作製した画像の画像データを記録媒体に書き込む書込み装置とが設けられた写真プリントシステムにおいて、前記書込み装置は、前記記録媒体に書き込む画像と対応する画像データが前記画像保持担体に保存されていたときのファイル名を、画像ファイルと対応付けた状態で画像ファイルとは別の情報ファイルとして、あるいは、画像ファイルのデータの一部として、前記記録媒体へ書き込むように構成されている。
従って、前記記録媒体によって焼き増しプリントの注文を受けたときに、必要に応じて、その記録媒体から元の画像ファイル名を読み出すことで、元の画像ファイル名で焼き増し対象とする画像を特定することができる。
【０００５】
又、本出願の第２の発明は、上記第１の発明の構成に加えて、前記記録媒体をＣＤ−Ｒメディアとしている。
すなわち、一度書き込んだデータを物理的に消去して新たなデータで書き換えることができないＣＤ−Ｒメディアは、一般に安価に入手することができ、画像データを記録保存した記録媒体の提供サービスを低コストで行える。
この安価なメディアを利用して画像データの提供と、焼き増しプリントの受け付けを行うことができ、その場合において元の前記画像保持担体での画像ファイル名での焼き増しプリントの注文を受けた際に、前記記録媒体に記録されている元のファイル名の情報を利用して焼き増しプリントの対象とする画像を特定する。
【発明の効果】
【０００６】
上記第１の発明によれば、元の前記画像保持担体上での画像ファイル名を前記記録媒体に記録されている画像と対応付けた状態で前記記録媒体から入手できるので、焼き増しプリントする画像を、元の画像ファイル名で簡単に特定できるに至った。
又、上記第２の発明によれば、写真プリントを作製した画像データの提供を安価なメディアを利用して行うことができるようにしながら、そのメディアを利用した焼き増しプリントの注文受付を円滑に行うことができる。
【発明を実施するための最良の形態】
【０００７】
以下、本発明の写真プリントシステムの実施の形態を図面に基づいて説明する。
本実施の形態の写真プリントシステムＤＰは、いわゆるデジタルミニラボ機として知られているものであり、図２において店舗に設置した状態の外観を示すように、メモリカード，光磁気ディスクメディア及びＣＤ−Ｒメディア等の記録画像を取込んで写真プリントの作製注文を受付けるプリント注文受付装置ＩＲと、プリント注文受付装置ＩＲから入力された画像データや現像処理済みの写真フィルム１（以下、「フィルム１」と略称する）の画像データ等から写真プリントを作製する写真プリント装置ＰＲと、写真プリント装置ＰＲにて写真プリントを作製した画像の画像データを記録媒体に書き込む書込み装置ＣＲとが備えられて構成され、これら各装置の制御部がネットワーク接続されている。
本実施の形態では、書込み装置ＣＲ（図２では図示を省略）にて画像データを書き込む記録媒体として、書換え不能型記録媒体の１例であるＣＤ−Ｒメディアを例示しており、以下において、書込み装置ＣＲを「ＣＤ−Ｒ書込み装置ＣＲ」と称する。
尚、図２では、プリント注文受付装置ＩＲを２台備えて、顧客自身が操作できるようにカウンタ１００上に設置した場合を例示している。
【０００８】
〔プリント注文受付装置ＩＲの概略構成〕
詳細な説明は省略するが、プリント注文受付装置ＩＲには、ＣＤ−Ｒメディアに記録された画像データを読取るためのＣＤ−ＲＯＭドライブと、光磁気ディスクに記録された画像データを読取るＭＯドライブと、各種仕様のメモリカードに記録された画像データを読取るメモリカードリーダと、顧客がプリント注文をするときの案内表示等を表示するためのタッチパネル式のモニタと、これらの機器を制御する制御装置が備えられている。
【０００９】
〔写真プリント装置ＰＲの概略構成〕
本実施の形態の写真プリント装置ＰＲは、図１のブロック図及び図２に示すように、現像済みのフィルム１の駒画像を読取るフィルムスキャナ１０を備えると共に、写真プリントシステムＤＰ全体の動作を管理する管理装置３と、管理装置３から受け取った露光用の画像データに基づいて印画紙２に対して露光処理して写真プリントを作製する露光・現像装置４とから構成されている。
【００１０】
〔管理装置３の構成〕
管理装置３には、図１のブロック図に概略的に示すように、フィルム１の駒画像を読み取るフィルムスキャナ１０と、メモリーリーダ，ＭＯドライブ及びＣＤ−Ｒドライブ等を備えた外部入出力装置１１と、汎用小型コンピュータシステムにて構成されてフィルムスキャナ１０や外部入出力装置１１の制御のほか写真プリントシステムＤＰ全体の管理を実行する主制御装置１２とが備えられ、更に、主制御装置１２には、仕上がりプリント画像をシミュレートしたシミュレート画像や各種の制御用の情報を表示するモニタ１２ａと、露光条件の手動設定等や制御情報の入力操作をするための操作卓１２ｂとが接続されている。
【００１１】
フィルムスキャナ１０は、ハロゲンランプ４０と、ハロゲンランプ４０から出射した光の色バランスを調整するための調光フィルタ４１と、調光フィルタ４１を通過した光を均等に混色するミラートンネル４２と、搬送機構４３ａ等が備えられてフィルム１を所定の読取り位置に位置させるフィルムキャリア４３と、フィルム１の駒画像を光電変換するためのＣＣＤラインセンサユニット４４と、フィルム１の画像をＣＣＤラインセンサユニット４４上に結像させるためのレンズ４５と、光路を９０度屈曲させるためのミラー４６と、ＣＣＤラインセンサユニット４４の出力信号を増幅及びＡ／Ｄ変換等する処理回路４７と、フィルムスキャナ１０全体の制御を行う読取制御装置４８とが設けられている。
【００１２】
ＣＣＤラインセンサユニット４４は、約５０００個のＣＣＤ素子をフィルム１の幅方向に配列したＣＣＤラインセンサを３列に並べて備えており、各ＣＣＤラインセンサの受光面には夫々赤色、緑色、青色のカラーフィルタが形成されて、フィルム１の駒画像を色分解して検出する。
読取制御装置４８は、主制御装置１２からの読取指令に基づいて、フィルムキャリア４３にセットされたフィルム１の搬送移動を開始させると共に、処理回路４７から出力されるそのフィルム１の駒画像の画像データを主制御装置１２へ出力する。
【００１３】
主制御装置１２には、図示を省略するが、フィルムスキャナ１０から入力されたフィルム１の駒画像の画像データ、外部入出力装置１１から入力された画像データ、更に、プリント注文受付装置ＩＲから入力された画像データを写真プリントの作製に適した画像に画像処理して露光用の画像データを生成する画像処理装置が備えられている。
【００１４】
〔露光・現像装置４の概略構成〕
露光・現像装置ＥＰは、筐体内部に、ＰＬＺＴプリントヘッド２０ａを備えた露光ユニット２０と、露光ユニット２０を制御する露光制御装置２１と、露光ユニット２０にて露光された印画紙２を現像処理する現像処理装置２２と、現像処理装置２２内の印画紙搬送系の制御や現像処理液の管理を行う現像制御装置２３と、露光・現像装置４全体を制御するプリンタ制御装置２４と、筐体上面に配置された印画紙マガジン８から引き出された印画紙２を多数の搬送ローラ２５等にて現像処理装置２２へ搬送する印画紙搬送系ＰＴとが設けられている。
【００１５】
露光・現像装置４の筐体外部には、図２に示すように、現像処理装置２２にて現像処理及び乾燥処理された印画紙２をオーダ毎に分類するためのソータ２６と、排出口２２ａから排出された印画紙２をソータ２６へ搬送するコンベア２７とが設けられている。
更に、印画紙搬送系ＰＴの搬送経路の途中には、印画紙マガジン８から引き出された長尺の印画紙２を設定プリントサイズに切断するカッタ２８と、印画紙２の裏面側に所定の情報を印字するバックプリント装置２９とが備えられている。
このバックプリント装置２９は、メモリカードに保存された画像に基づいて写真プリントを作製するときは、その画像のメモリカードにおけるファイル名をプリントする。
【００１６】
〔写真プリントの作製動作〕
次に、上記構成の写真プリントシステムＤＰによる写真プリントの作製動作を概略的に説明する。
先ず、顧客からのプリント注文を受ける場合において画像データや前記フロントプリント対象情報を取込む動作について、図３に示すフローチャートに基づいて説明する。
上述のように、写真プリントの作製を依頼する顧客は自らプリント注文受付装置ＩＲを操作してプリント注文することが可能である他、写真プリント装置ＰＲのオペレータにメモリカード、写真フィルムあるいはＣＤ−Ｒメディア等を手渡してプリント注文する一般的な取扱いももちろん可能である。
【００１７】
図３の処理は、顧客自身がカウンタ１００上のプリント注文受付装置ＩＲを操作して、プリント注文する場合は、プリント注文受付装置ＩＲに備えられた制御装置にて実行され、オペレータが外部入出力装置１１にメモリカード等をセットして顧客から受けたプリント注文を入力する場合は、管理装置３の主制御装置１２にて実行される。
写真プリントを作製するための画像をファイル保存した前記画像保持担体は、本実施の形態においてはメモリカード，ＣＤ−Ｒメディア及び光磁気ディスクを例示しているが、図３では、説明の複雑化を回避するために、メモリカードとＣＤ−Ｒメディアとから写真プリント作製のための画像データを取り込むことを想定している。
従って、本実施の形態では、プリント注文受付装置ＩＲ及び外部入出力装置１１が、写真プリントを作製するための画像を前記画像保持担体から取り込む取り込み装置ＣＴとして機能する。
【００１８】
オペレータが操作する場合で説明すると、顧客の持参した画像データが記録されているメモリカードあるいはＣＤ−Ｒメディアを外部入出力装置１１の所定の位置にセットして操作卓１２ｂから処理の開始を指示すると図３の処理が開始される。
先ず、セットされたメディアに保存されている画像ファイルのファイル名の情報を取り込み（ステップ＃１）、メディアがＣＤ−Ｒメディアであるときは（ステップ＃２）、そのＣＤ−Ｒメディアに所定の情報ファイルが存在するか否かを確認する（ステップ＃３）。
この情報ファイルとは、後述のように、デジタルカメラにて撮影される等してメモリカード（前記画像保持担体の１例）にファイル保存された画像ファイルに基づいて写真プリントを作製したときに、そのメモリカードに保存されている画像ファイルのファイル名（以下、「元ファイル名」と称する）を保存したものであり、この情報ファイルを記録しているＣＤ−Ｒに記録されている画像ファイルのファイル名と元ファイル名とを対にして対応付けた情報を有している。従って、この情報ファイルが存在するということは、過去に写真プリントと共に顧客に提供されたＣＤ−Ｒメディアを利用して、焼き増しプリントを依頼されていることを意味する。
【００１９】
ＣＤ−Ｒメディアに前記情報ファイルが記録されているときは（ステップ＃３）、その情報ファイルのデータを取り込み（ステップ＃５）、元ファイル名表示を有効とする設定を行って（ステップ＃５）、図５に示す、写真プリントを作製する画像ファイルを特定するためのウィンドウ表示をモニタ１２ａへ表示する（ステップ＃７）。
ステップ＃５における元ファイル名表示を有効に設定することで、図５に示すウィンドウ表示において、「元ファイル名を表示する」という文字列に対応するチェックボックス５０が、チェックを入れる入力操作を受け付け可能な状態で表示される。
【００２０】
一方、外部入出力装置１１にセットされたメディア（画像保持担体）がメモリカード等であってＣＤ−Ｒではなく（ステップ＃２）、あるいは、ＣＤ−Ｒであっても前記情報ファイルが存在しないときは（ステップ＃３）、元ファイル名表示を無効とする設定を行って（ステップ＃６）、図５と同様のウィンドウ表示を行う（ステップ＃７）。
ここで、ステップ＃６の元ファイル名表示を無効とする設定とは、図５の表示において、チェックボックス５０が、チェックを入れる入力操作を受け付けない状態で表示するようにする設定である。
【００２１】
モニタ１２ａに表示される図５に示すウィンドウ表示では、外部入出力装置１１にセットされたメディアに記録されている画像ファイルのファイル名（ステップ＃１で読取ったもの）をリスト表示するプリント候補ファイル表示欄５１と、プリント候補ファイル表示欄５１に表示された画像ファイルの中から写真プリントを作製する画像ファイルとして指定されたものをリスト表示するプリント指定ファイル表示欄５２と、プリント候補ファイル表示欄５１に表示されているファイルリストの中から選択されているファイル名の表示をプリント指定ファイル表示欄５２へコピーする指示入力をするためのプリント選択ボタン表示５３と、プリント候補ファイル表示欄５１に表示されているファイルリストの全てを一括してプリント指定ファイル表示欄５２へコピーする指示入力をするための一括選択ボタン表示５４と、プリント指定ファイル表示欄５２にリスト表示されたファイルについて写真プリントの作製を決定する指示入力をするための決定ボタン表示５５とが表示される他、その他各種の機能を有するボタン表示等が表示される。
【００２２】
モニタ１２ａに図５に示すウィンドウ表示が表示されている状態で、オペレータが図示を省略するマウス等によってチェックボックス５０にチェックを入れる入力操作を行うと（ステップ＃８，＃１０）、図６に示すように、プリント候補ファイル表示欄５１の表示を、ＣＤ−Ｒメディアでの画像ファイル名と対にして前記元ファイル名を「＜＞」で囲んで表示する（ステップ＃１１）。
オペレータは、前記元ファイル名を指定して焼き増しプリントの注文を受けたときに、この元ファイル名表示を参考にして写真プリントを作製する画像ファイルを特定することができる。
【００２３】
オペレータが、写真プリントを作製する画像ファイルの選択を完了して、図５等の表示における決定ボタン表示５５を操作すると（ステップ＃８，＃９）、プリント指定ファイル表示欄５２にリストされている画像ファイルを、外部入出力装置１１にセットされているメディアから読み出して（ステップ＃１２）、画像ファイルのファイル名と共に主制御装置１２の画像処理装置へ送る（ステップ＃１３）。
【００２４】
次に、上述のようにして各駒画像の画像データ及び注文条件のデータを受け取った主制御装置１２の動作について、図４に示すフローチャートに基づいて説明する。
写真プリント装置ＰＲでは、モニタ１２ａにシミュレート画像を表示して熟練したオペレータが精密に色調整作業を行うことが可能であり、その作業が完了すると図４に示す処理を開始する。
先ず、外部入出力装置１１やプリント注文受付装置ＩＲから受け取った画像データに付いて各駒画像毎に順次に露光・現像装置４へ出力して、印画紙２へプリント処理させる（ステップ＃２１）。このとき、各画像データの画像ファイル名も併せて露光・現像装置４へ出力する。露光・現像装置４では、受け取った画像ファイル名をバックプリント装置２９にてバックプリントする。
【００２５】
全ての画像データについて出力が完了すると（ステップ＃２２）、写真プリントを作製した画像の画像データをＣＤ−Ｒメディアへ記録保存することを別途指示されているときは（ステップ＃２３）、写真プリントの作製の基となったメディアにおける画像ファイル名（図３のステップ＃１で取得したファイル名であり、写真プリントにバックプリントしたファイル名）と、ＣＤ−Ｒメディアに書き込む画像ファイルのファイル名とを対にして対応付けた情報を有する情報ファイルを作製すると共に、各駒画像の画像データをＪＰＥＧ等の汎用フォーマットの画像ファイルに編成して（ステップ＃２４）、その情報ファイル及び画像ファイルをＣＤ−Ｒ書込み装置ＣＲへ出力する（ステップ＃２５）。夫々別ファイルとして構成された前記情報ファイル及び画像ファイルを受け取ったＣＤ−Ｒ書込み装置ＣＲは、セットされているＣＤ−Ｒメディアに「ＤＣＦ」等の標準規格でそれらのファイルを書き込む。
このように作製された情報ファイルは、図３のステップ＃３以降で利用されて、この情報ファイルを有するＣＤ−Ｒメディアで焼き増しプリントを注文したときに、焼き増しプリントを作製する画像ファイルの特定作業を容易に行えるようにしている。
以上、オペレータが、顧客の注文に応じて外部入出力装置１１から写真プリントを作製する画像データを取り込んだ場合について説明したが、プリント注文受付装置ＩＲから顧客自身がプリント注文する場合についても同様の処理である。
【００２６】
上述のようにして管理装置３から露光・現像装置４へ送られた露光用の画像データは、露光・現像装置４のプリンタ制御装置２４に備えられているメモリに記憶される。
プリンタ制御装置２４は、印画紙搬送系ＰＴから得られる印画紙２の搬送情報に基づいて、印画紙２の前端が所定の露光開始位置まで搬送されて来たことを検知すると、露光制御装置２１に対して露光作動の開始を指令すると共に、露光ユニット２０の露光処理スピードに対応した速度で露光用画像データを露光制御装置２１へ順次送信する。
露光制御装置２１は、受け取った露光用画像データに基づいてＰＬＺＴプリントヘッド２０ａの各光シャッタを作動させて印画紙２にプリント画像の潜像を形成する。
露光ユニット２０にて露光処理された印画紙２は、印画紙搬送系ＰＴにて現像処理装置２２へ搬送されて、各現像処理タンクを順次通過することにより現像され、現像処理された印画紙２は、更に乾燥処理された後に排出口２２ａからコンベア２７上に排出され、ソータ２６にてオーダー毎にまとめられる。
【００２７】
〔別実施形態〕
以下、本発明の別実施形態を列記する。
（１）上記実施の形態では、ＣＤ−Ｒメディア（前記記録媒体）に書き込む画像と対応する画像データが元のメディア（前記画像保持担体、主にメモリカード）に保存されていたときのファイル名（元ファイル名）を、画像ファイルとは別の情報ファイルとして書き込む場合を例示しているが、ＣＤ−Ｒメディアに書き込む画像ファイルのファイル形式が任意のコメントを含めることが可能なファイル形式であるときには、そのコメントの領域に前記元ファイル名を書き込むことで、元ファイル名を画像ファイルのデータの一部として保存するようにしても良い。
【００２８】
（２）上記実施の形態では、デジタルカメラ等にて画像データがファイル保存されたメモリカードから写真プリントを作製して、ＣＤ−Ｒメディアに画像ファイルと元ファイル名とを記録保存し、更に、そのＣＤ−Ｒメディアにて焼き増しプリントを依頼されたときには、そのＣＤ−Ｒメディアに記録されている元ファイル名を参照して焼き増しプリントの対象となる画像の特定に利用する場合を主体として説明しているが、前記画像保持担体としての光磁気ディスク等にファイル保存された画像データによって写真プリントを作製する場合等、各種形式のメディアを利用する場合に本発明を適用できる。
【００２９】
（３）上記実施の形態では、書込み装置ＣＲにて使用する記録媒体の１例としてＣＤ−Ｒメディアを例示しているが、ＤＶＤ−Ｒメディアや光磁気ディスク等の記録媒体を用いても良い。
（４）上記実施の形態では、写真プリント装置ＰＲのプリント形式として、ＰＬＺＴプリントヘッド２０ａを備えたＰＬＺＴ光シャッタ方式の露光形式を例示しているが、レーザビームを走査露光するレーザ露光形式等の他の露光形式でも良いし、更には、インクジェットプリント方式等の露光によらないプリント形式を用いても良い。
【図面の簡単な説明】
【００３０】
【図１】本発明の実施の形態にかかる写真プリントシステムのブロック構成図
【図２】本発明の実施の形態にかかる店舗等における写真プリントシステムの配置図
【図３】本発明の実施の形態にかかるフローチャート
【図４】本発明の実施の形態にかかるフローチャート
【図５】本発明の実施の形態にかかる操作画面の例示図
【図６】本発明の実施の形態にかかる操作画面の例示図
【符号の説明】
【００３１】
ＣＲ  書込み装置
ＣＴ  取り込み装置
ＰＲ  写真プリント装置
【図１】
2005202264.tif 000003
【図２】
2005202264.tif 000004
【図３】
2005202264.tif 000005
【図４】
2005202264.tif 000006
【図５】
2005202264.tif 000007
【図６】
2005202264.tif 000008